(57)【要約】【課題】  ケーシング本体の開口部を利用した不正キー解除を防止でき、盗難防止性に優れた錠装置を提供する。【解決手段】  ケーシング本体２の部品収容室内２ａにシリンダ錠５とシリンダ錠５の回転変移を直線運動に変換して係合ロッド９に伝達するカム機構ＣＭとを収容し、ケーシング本体２にはカム機構ＣＭを臨む位置に部品収容室２ａの開口部４０を設け、開口部４０の近傍のケーシング本体２の外面にソレノイドユニット２２を取り付けたステアリングロック装置１Ａであって、開口部４０をリッド１８で塞ぐと共に、ソレノイドユニット２２には、リッド１８の外側位置で開口部４０を遮蔽する遮蔽部３１を一体に設けた。【選択図】      図２
2005335430.tif 000002
【特許請求の範囲】
【請求項１】
ケーシング本体の部品収容室内に錠本体とこの錠本体の移動によってロック位置とロック解除位置との間を変移するロック部材とを収容し、前記ケーシング本体には前記部品収容室の開口部を設けると共に、前記ケーシング本体の外面にユニットを取り付けた錠装置であって、
前記ユニットには、前記開口部の外側位置に配置され、前記開口部を遮蔽する遮蔽部が一体に設けられたことを特徴とする錠装置。
【請求項２】
請求項１記載の錠装置であって、
前記ケーシング本体には、前記開口部を塞ぐリッドがリッド固定手段を介して取り付けられ、このリッドの外側位置を被うように前記遮蔽部を配置したことを特徴とする錠装置。
【請求項３】
請求項１記載の錠装置であって、
前記遮蔽部が、前記開口部を直接に被い、前記遮蔽部が前記ケーシング本体に固定手段を介して固定されたことを特徴とする錠装置。
【請求項４】
請求項１記載の錠装置であって、
前記ケーシング本体には、前記開口部を塞ぐリッドがリッド固定手段を介して取り付けられ、このリッドの外側位置を被うように前記遮蔽部を配置し、且つ、該遮蔽部と該ケーシング本体とに嵌合部を設け、この嵌合部が該リッド固定手段を隠す位置に設置されたことを特徴とする錠装置。
【請求項５】
請求項１〜請求項４記載の錠装置であって、
前記部品収容室に、前記シリンダ錠の変移を所定の運動に変換して前記ロック部材に伝達するカム機構を収容し、このカム機構を臨む位置に前記開口部が設けられたことを特徴とする錠装置。
【請求項６】
請求項１〜請求項５記載の錠装置であって、
前記ユニットは、前記錠本体の第２操作による移動を阻止する移動阻止位置と前記錠本体の第２操作による移動を許容する移動許容位置との間で変移する係合部を有し、第１操作が適正な条件で行われた場合にのみ前記係合部を移動阻止位置から移動許容位置に変移させる第２操作規制ユニットであることを特徴とする錠装置。
【発明の詳細な説明】
【技術分野】
【０００１】
本発明は、ケーシング本体内に錠本体とカム機構とを収容した錠装置に関する。
【背景技術】
【０００２】
この種の錠装置をステアリングロック装置に適用した従来例が図５に示されている（特許文献１参照）。
【０００３】
図５において、ステアリングロック装置１００はケーシング本体１０１を有し、このケーシング本体１０１には部品収容室１０１ａが形成されている。この部品収容室１０１ａにはシリンダ錠１０２と、このシリンダ錠１０２に連結されたカム部材１０３と、このカム部材１０３に連結されたカム追従部材であるスライダ１０４と、スライダ１０４に連結されたロック部材１０５の一端側と、スライダ１０４をロック位置側に付勢するバネ１０６とが収容されている。カム部材１０３とスライダ１０４によってカム機構が構成されており、カム機構によってシリンダ錠１０２の回転が直線運動に変換されてロック部材１０５に伝達される。
【０００４】
又、ケーシング本体１０１にはカム部材１０３及びスライダ１０４を臨む位置に部品収容室１０１ａの開口部１０７が設けられている。この開口部１０７はリッド１０８によって塞がれ、リッド１０８にはバネ１０６の他端側が掛けられている。そして、リッド１０８は、ケーシング本体１０１にピン１１０によって固定されていると共にケーシング本体１０１のカシメ部１１１によっても固定されている。
【０００５】
つまり、リッド１０８をピン１１０とカシメ部１１１によってケーシング本体１０１に固定することにより、開口部１０７からカム機構のスライダ１０４を操作して行う不正キー解錠を防止している。
【特許文献１】実公平５−４４２０９号公報
【発明の開示】
【発明が解決しようとする課題】
【０００６】
しかしがら、従来の錠装置であるステアリングロック装置１００では、リッド１０８をケーシング本体１０１に取り付けるにはピン１１０をピン圧入孔（不図示）に嵌め込み、且つ、ケーシング本体１０１の開口部１０７の外周縁箇所をカシメ加工してカシメ部１１１を作成する必要があるため、盗難防止の作業が面倒である。
【０００７】
そこで、本発明は、盗難防止の作業が面倒ではなく、ケーシング本体の開口部を利用した不正キー解除を防止でき、盗難防止性に優れた錠装置を提供することを目的とする。
【課題を解決するための手段】
【０００８】
上記目的を達成する請求項１の発明は、ケーシング本体の部品収容室内に錠本体とこの錠本体の移動によってロック位置とロック解除位置との間を変移するロック部材とを収容し、前記ケーシング本体には前記部品収容室の開口部を設けると共に、前記ケーシング本体の外面にユニットを取り付けた錠装置であって、前記ユニットには、前記開口部の外側位置に配置され、前記開口部を遮蔽する遮蔽部が一体に設けられたことを特徴とする。
【０００９】
請求項２の発明は、請求項１記載の錠装置であって、前記ケーシング本体には、前記開口部を塞ぐリッドがリッド固定手段を介して取り付けられ、このリッドの外側位置を被うように前記遮蔽部を配置したことを特徴とする。
【００１０】
請求項３の発明は、請求項１記載の錠装置であって、前記遮蔽部が、前記開口部を直接に被い、前記遮蔽部が前記ケーシング本体に固定手段を介して固定されたことを特徴とする。
【００１１】
請求項４の発明は、請求項１記載の錠装置であって、前記ケーシング本体には、前記開口部を塞ぐリッドがリッド固定手段を介して取り付けられ、このリッドの外側位置を被うように前記遮蔽部を配置し、且つ、該遮蔽部と該ケーシング本体とに嵌合部を設け、この嵌合部が該リッド固定手段を隠す位置に設置されたことを特徴とする。
【００１２】
請求項５の発明は、請求項１〜請求項４記載の錠装置であって、前記部品収容室に、前記シリンダ錠の変移を所定の運動に変換して前記ロック部材に伝達するカム機構を収容し、このカム機構を臨む位置に前記開口部が設けられたことを特徴とする。
【００１３】
請求項６の発明は、請求項１〜請求項５記載の錠装置であって、前記ユニットは、前記錠本体の第２操作による移動を阻止する移動阻止位置と前記錠本体の第２操作による移動を許容する移動許容位置との間で変移する係合部を有し、第１操作が適正な条件で行われた場合にのみ前記係合部を移動阻止位置から移動許容位置に変移させる第２操作規制ユニットであることを特徴とする。
【発明の効果】
【００１４】
請求項１の発明によれば、ユニットを通常の作業により取り付けると、ユニットの遮蔽部がケーシング本体の開口部の外側位置を遮蔽するため、盗難防止のための面倒な作業を別途行う必要がない。そして、ユニットをケーシング本体より強制的に取り外さなければ開口部より内部部品を操作できないため、ケーシング本体の開口部を利用した不正キー解除を防止でき、盗難防止性に優れている。
【００１５】
請求項２の発明によれば、請求項１の発明の効果に加え、ケーシング本体の開口部を利用した不正キー解除を行うためには、ユニットの遮蔽部とリッドの双方を強制的に取り外す必要があるため、盗難防止性の向上を図ることができる。
【００１６】
請求項３の発明によれば、請求項１の発明の効果に加え、リッドを削除できるため、部品点数の削減になる。
【００１７】
請求項４の発明によれば、請求項１の発明の効果に加え、ケーシング本体の開口部を利用した不正キー解除を行うためには、リッドとユニットの遮蔽部の双方を強制的に取り外す必要があり、且つ、遮蔽部とリッドが嵌合部によって嵌合すると共にその嵌合部によってリッド固定手段が遮蔽されているため、更なる盗難防止性の向上を図ることができる。
【００１８】
請求項５の発明によれば、開口部を利用してカム機構を操作することによる不正キー解除を防止できる。
【００１９】
請求項６の発明によれば、錠本体を第１操作と第２操作によって解錠位置とするものにあって、請求項１〜請求項５の発明と同様の効果が得られる。
【発明を実施するための最良の形態】
【００２０】
以下、本発明の実施形態を図面に基づいて説明する。
【００２１】
図１及び図２は本発明の錠装置をステアリングロック装置に適用した第１実施形態を示し、図１はステアリングロック装置の分解斜視図、図２はステアリングロック装置の全体断面図である。
【００２２】
図１及び図２に示すように、ステアリングロック装置１Ａは、車両に設けられるステアリングシャフト（不図示）の周辺に組み付けられたケーシング本体２を有し、このケーシング本体２内に軸方向に沿って部品収容室２ａが形成されている。この部品収容室２ａ内には、キャップ３、ハウジングケース４、錠本体であるシリンダ錠５、他端にカム部７ｂを有するローテータ７、カム追従部材であるハンガーロッド８、ロック部材である係合ロッド９の一端側、イグニッションスイッチ１０等が収容されている。
【００２３】
キャップ３は、ケーシング本体２の部品収容室２ａの開口位置の周辺位置で、ケーシング本体２の内周面とハウジングケース４の外周面の間にできるスペースに介在されている。
【００２４】
ハウジングケース４は、ケーシング本体２にピン１１等によって固定され、内部にはシリンダ収容室１２が設けられている。
【００２５】
シリンダ錠５は、ほぼ円筒形状を有し、シリンダ収容室１２に収容されている。シリンダ錠５の軸中心位置には軸方向に沿って鍵穴１４が形成されている。シリンダ錠５の一端側はケーシング本体２より外側に突出し、この突出箇所に操作ノブ１５が固定されている。この操作ノブ１５には鍵穴１４に連通する鍵穴入口１６が形成されている。操作ノブ１５の鍵穴入口１６を介して鍵穴１４にメカニカルキーであるシリンダキー（不図示）を挿入できる。シリンダ錠５は、第１操作である押圧操作によってハウジングケース４に対して軸方向に移動自在で、且つ、下記するロックレバー２０ａがロック解除位置に位置することを条件として第２操作である回転操作によってハウジングケース４に対し軸中心に回転自在に設けられている。
【００２６】
ローテータ７は、ケーシング本体２に対して回転自在に支持され、その一端側がシリンダ錠５に連結されている。ローテータ７とシリンダ錠５間の連結は、シリンダ錠５の軸方向Ａの移動が伝達されず、回転のみ伝達されるようになっている。ローテータ７とシリンダ錠５との間には復帰バネ１７が介在され、この復帰バネ１７のバネ力によってシリンダ錠５が初期位置側に付勢されている。
【００２７】
ローテータ７の他端側にはカム部７ｂが一体に設けられ、このカム部７ｂにカム追従部材であるハンガーロッド８に連結されている。つまり、ローテータ７のカム部７ｂとハンガーロッド８によってカム機構ＣＭが構成され、このカム機構ＣＭによってローテータ７の回転が直線運動に変換されて係合ロッド９に伝達されるようになっている。係合ロッド９の他端側は、ステアリングシャフト（不図示）に係合・離脱可能に設けられている。つまり、係合ロッド９は、ローテータ７の回転位置によってステアリングシャフト（不図示）に係合するロック位置とロック解除位置との間を移動する。ハンガーロッド８にはバネ１９の一端側が掛けられ、このバネ力によって係合ロッド９が係合位置側に付勢されている。
【００２８】
又、ケーシング本体２のハンガーロッド８が臨む位置には部品収容室２ａの開口部４０が形成されている。この開口部４０は、リッド固定手段である固定ピン４１によってケーシング本体２に固定されたリッド１８によって塞がれている。そして、リッド１８に前記バネ１９の他端側が掛けられている。
【００２９】
ローテータ７には、半円板状の回転規制板７ａが突設されていると共に、この回転規制板７ａよりシリンダ錠５側の２箇所には外周方向に突出する侵入防止ブロック部２０が突設されている。侵入防止ブロック部２０の外周端面は、ケーシング本体２の部品収容室２ａの内周面に近接する位置に位置されている。
【００３０】
また、ケーシング本体２の外周面にはスイッチユニット２１と第２操作規制ユニット（ユニット）であるソレノイドユニット２２がそれぞれ固定されている。
【００３１】
スイッチユニット２１は、キー挿入検知スイッチＳＷ１とノブ操作検知スイッチＳＷ２とを備えている。キー挿入検知スイッチＳＷ１は、シリンダ錠５の鍵穴１４にシリンダキー（不図示）が完全に挿入された場合にオンするよう構成されている。ノブ操作検知スイッチＳＷ２は、操作ノブ１５の押圧操作によってシリンダ錠５が軸方向に変移された場合にオンするよう構成されている。キー挿入検知スイッチＳＷ１とノブ操作検知スイッチＳＷ２の検知情報は、制御部（不図示）に出力される。
【００３２】
ソレノイドユニット２２は、ユニットハウジング２３とこのユニットハウジング２３内に収容されたソレノイド２４とこのソレノイド２４への電流のオン・オフによって変移する係合部であるロックレバー２５とを備えている。ユニットハウジング２３はボルト２６によってケーシング本体２に取り付けられている。ロックレバー２５はケーシング本体２の開口部２７より部品収容室２ａ内に突出し、ソレノイド２４のオン時には回転規制板７ａの回転軌跡外の移動許容位置である回転許容位置（図２の実線位置）に、オフ時には回転規制板７ａの回転軌跡内の移動阻止位置である回転阻止位置（図２の仮想線位置）にそれぞれ変移される。ソレノイド２４は、制御部（不図示）の制御信号に基づいて駆動される。制御部（不図示）は、キー挿入検知スイッチＳＷ１及びノブ操作検知スイッチＳＷ２が共にオンになったとき、及び、キー挿入検知スイッチＳＷ１がオフ、ノブ操作検知スイッチＳＷ２がオンで、且つ、電子キー（不図示）との交信によりＩＤの認証確認がされた時にソレノイド２４を所定時間だけオンするよう制御する。
【００３３】
又、ユニットハウジング２３には引き離し防止ブロック部３０が一体に設けられている。この引き離し防止ブロック部３０は、ケーシング本体２の開口部２７より部品収容室２ａ内に突出されている。そして、引き離し防止ブロック部３０には貫通孔３０ａが形成され、この貫通孔３０ａ内に貫通した状態で前記ローテータ７が部品収容室２ａ内に収容されている。又、引き離し防止ブロック部３０は、シリンダ錠５が挿入される部品収容室２ａの開口位置とロックレバー２５との間の位置で部品収容室２ａ内に突出されており、部品収容室２ａの開口側より挿入される不正解錠工具類（不図示）の奥への侵入をも阻止するようになっている。
【００３４】
更に、ユニットハウジング２３には遮蔽部３１が一体に設けられている。この遮蔽部３１はケーシング本体２の開口部４０の外側位置に配置され、リッド１８の上位置から開口部４０を遮蔽する。
【００３５】
上記したステアリングロック装置１Ａの作用を説明する。
【００３６】
図２の初期状態では、キー挿入検知スイッチＳＷ１及びノブ操作検知スイッチＳＷ２が共にオフであり、ソレノイド２４のロックレバー２５が回転阻止位置（図２の仮想線位置）に位置する。そして、係合ロッド９はステアリングシャフト（不図示）の係合位置に位置し、ステアリング（不図示）がロックされている。この初期状態にあって、操作者がシリンダ錠５を回転させるべく操作ノブ１５に回転力を作用してもシリンダ錠５を回転させることはできない。
【００３７】
初期状態にあって、操作者が鍵穴１４にシリンダキー（不図示）を挿入せずに操作ノブ１５を押圧操作（第１操作）すると、シリンダ錠５がハウジングケース４内を軸方向Ａに移動して操作ノブ１５が押下される。この移動において、キー挿入検知スイッチＳＷ１はオフ位置を維持するが、ノブ操作検知スイッチＳＷ２がオフ位置からオン位置になる。ノブ操作検知スイッチＳＷ２がオンすると、制御部（不図示）は電子キー（不図示）と交信してＩＤ認証を行い、ＩＤの一致を確認すると、電子キー操作モードに移行する。そして、制御部（不図示）がソレノイド２４をオン状態に制御し、ロックレバー２５が回転許容位置（図２の実線位置）に変移される。
【００３８】
操作者が上記した押圧操作（第１操作）に引き続き、操作ノブ１５を回転操作（第２操作）すると、その回転力によってシリンダ錠５が円周方向に回転する。このシリンダ錠５の回転によってローテータ７が回転し、係合ロッド９がロック解除位置に変移される。これによりステアリングシャフト（不図示）が自由に回転できるようになる。
【００３９】
また、初期状態にあって、操作者が鍵穴１４にシリンダキー（不図示）を挿入して操作ノブ１５を押圧操作（第１操作）すると、シリンダ錠５がハウジングケース４内を軸方向Ａに移動して操作ノブ１５が押下される。シリンダキー（不図示）の鍵穴１４への挿入によって、キー挿入検知スイッチＳＷ１がオフ位置からオン位置になる。シリンダ錠５の軸方向Ａへの移動によって、ノブ操作検知スイッチＳＷ２がオフ位置からオン位置になる。キー挿入検知スイッチＳＷ１及びノブ操作検知スイッチＳＷ２が共にオンすると、補助操作モードに移行する。そして、制御部（不図示）がソレノイド２４をオン状態に制御し、ロックレバー２５が回転許容位置（図２の実線位置）に変移される。
【００４０】
操作者が上記した押圧操作（第１操作）に引き続き、操作ノブ１５を回転操作（第２操作）すると、その回転力によってシリンダ錠５が円周方向に回転する。このシリンダ錠５の回転によってローテータ７が回転し、係合ロッド９がロック解除位置に変移される。これによりステアリングシャフト（不図示）が自由に回転できるようになる。
【００４１】
上記ステアリングロック装置１Ａにあって、ケーシング本体２にソレノイドユニット２２をボルト締めの通常の作業により取り付けると、ソレノイドユニット２２の遮蔽部３１がケーシング本体２の開口部４０の外側位置を遮蔽するため、盗難防止のための面倒な作業を別途行う必要がない。そして、開口部４０を利用した不正キー解錠を行うには、先ず、ソレノイドユニット２２をケーシング本体２より強制的に取り外さなければならないため、ケーシング本体２のカム機構ＣＭを臨む開口部４０を利用した不正キー解除を防止でき、盗難防止性に優れている。
【００４２】
特に、第１実施形態では、ソレノイドユニット２２と共にリッド１８をも強制的に取り外さなければ、ケーシング本体２のカム機構ＣＭを臨む開口部４０を利用した不正キー解錠を行うことができないため、盗難防止性の向上を図ることができる。
【００４３】
更に、ソレノイドユニット２２をケーシング本体２より取り外し、取り外したソレノイドユニット２２をケーシング本体２より引き離そうとしてもユニットハウジング２３の引き離し防止ブロック部３０の貫通孔３０ａにローテータ７が貫通しているため、ソレノイドユニット２２をケーシング本体２より引き離すことができない。以上より、非常に盗難防止性能に優れている。
【００４４】
この第１実施形態では、シリンダ錠５は、略円筒形状を有し、第１操作による移動はシリンダ錠５の軸線方向Ａの移動で、第２操作による移動はシリンダ錠５の円周方向の回転であるので、錠装置全体を小型化しつつ、操作性を改善することができる。
【００４５】
図３は本発明の錠装置をステアリングロック装置に適用した第２実施形態を示し、図３はステアリングロック装置の全体断面図である。
【００４６】
この第２実施形態のステアリングロック装置１Ｂは、前記第１実施形態のステアリングロック装置１Ａと比較するに、ケーシング本体２の開口部４０がリッドではなくソレノイドユニット２２の遮蔽部３１によって直接に塞がれている。そして、遮蔽部３１の内面にバネ１９の他端側が掛けられている。又、遮蔽部３１は固定手段である固定ピン４２によってケーシング本体２に固定されている。
【００４７】
他の構成は、前記第１実施形態と同一であるため、重複説明を回避するべく説明を省略する。図３において、同一構成箇所には同一符号を付して明確化を図る。
【００４８】
この第２実施形態においても、前記第１実施形態と同様に、ソレノイドユニット２２を通常の作業により取り付けると、ソレノイドユニット２２の遮蔽部３１がケーシング本体２の開口部４０の外側位置を遮蔽するため、盗難防止のための面倒な作業を別途行う必要がない。その上、リッド１８を削除できるため、部品点数の削減になる。
【００４９】
この第２実施形態では、遮蔽部３１をケーシング本体２に固定する固定手段は固定ピン４２であるが、遮蔽部３１をケーシング本体２に固定できる手段であれば良く、例えばカシメ部であっても良い。
【００５０】
図４は本発明の錠装置をステアリングロック装置に適用した第３実施形態を示し、図４はステアリングロック装置の全体断面図である。
【００５１】
この第３実施形態のステアリングロック装置１Ｃは、前記第１実施形態のステアリングロック装置１Ａと比較するに、ケーシング本体２にはリッド１８の固定ピン４１を挿入する面を凹部とする一方の嵌合部である嵌合凹部４３が設けられている。又、ソレノイドユニット２２の遮蔽部３１には他方の嵌合部である嵌合突起部４４が設けられ、嵌合突起部４４が嵌合凹部４３に嵌り込むことによって嵌合されている。固定ピン４１は、嵌合突起部４４によって遮蔽されている。
【００５２】
他の構成は、前記第１実施形態と同一であるため、重複説明を回避するべく説明を省略する。図４において、同一構成箇所には同一符号を付して明確化を図る。
【００５３】
この第３実施形態においても、前記第１実施形態と同様に、遮蔽部３１の嵌合突起部４４を嵌合凹部４３に嵌合させた状態でソレノイドユニット２２を通常の作業により取り付けると、ソレノイドユニット２２の遮蔽部３１がケーシング本体２の開口部４０の外側位置を遮蔽するため、盗難防止のための面倒な作業を別途行う必要がない。その上、遮蔽部３１とリッド１８が嵌合凹部４３と嵌合突起部４４によって嵌合すると共にその嵌合凹部４３と嵌合突起部４４によって固定ピン４１が遮蔽されているため、遮蔽部３１とリッド１８を取り外すことが非常に困難であり、更なる盗難防止性の向上を図ることができる。
【００５４】
前記各実施形態では、部品収容室２ａにシリンダ錠５の変移を所定の運動に変換してロック部材９に伝達するカム機構ＣＭを収容し、このカム機構ＣＭを臨む位置に開口部４０が設けられているが、それ以外の位置に開口部４０が設けられた場合においても本発明を同様に適用できる。
【００５５】
前記各実施形態では、ユニットである第２操作規制ユニットはソレノイドユニット２２にて構成されているが、ソレノイド２４以外を駆動源とするユニットにて構成しても良いことはもちろんである。
【００５６】
前記各実施形態では、リッド固定手段は固定ピン４１であるが、リッド１８をケーシング本体２に固定できれば良く、例えばカシメ部であっても良い。
【００５７】
前記各実施形態では、メカニカルキーであるシリンダキーと電子キーの２種類のキーによって解除できるステアリングロック装置１Ａ，１Ｂ，１Ｃに本発明を適用したが、種々の態様の錠装置（ステアリングロック装置を含む）に適用できることはもちろんである。
【００５８】
前記各実施形態では、第２操作の移動方向がシリンダ錠５の円周方向であったが、移動方向が第１操作の移動方向と同一平面上で直交するようにシリンダ錠５がスライドする方向でも同様の効果を得ることができる。
【００５９】
前記各実施形態では、補助錠部としてシリンダ錠５を用いたが、イモビライザシステムの錠を使用しても同様の効果を得ることができる。
【産業上の利用可能性】
【００６０】
前記実施形態は、本発明の錠装置を車両用のステアリングロック装置に適用したが、住宅の扉用錠装置等の用途にも適用できる。
【図面の簡単な説明】
【００６１】
【図１】本発明の第１実施形態を示し、ステアリングロック装置の分解斜視図である。
【図２】本発明の第１実施形態を示し、ステアリングロック装置の全体断面図である。
【図３】本発明の第２実施形態を示し、ステアリングロック装置の全体断面図である。
【図４】本発明の第３実施形態を示し、ステアリングロック装置の全体断面図である。
【図５】従来例のステアリングロック装置の一部破断側面図である。
【符号の説明】
【００６２】
１Ａ，１Ｂ，１Ｃ  ステアリングロック装置（錠装置）
２  ケーシング本体
２ａ  部品収容室
５  シリンダ錠（錠本体）
７ｂ  カム部（カム機構）
８  ハンガーロッド（カム機構）
９  係合ロッド（ロック部材）
１８  リッド
２２  ソレノイドユニット（ユニット，第２操作規制ユニット）
２５  ロックレバー（係合部）
３１  遮蔽部
４０  開口部
４１  固定ピン（ピン固定手段）
４２  固定ピン（固定手段）
４３  嵌合凹部（嵌合部）
４４  嵌合突起部（嵌合部）
ＣＭ  カム機構
【図１】
2005335430.tif 000003
【図２】
2005335430.tif 000004
【図３】
2005335430.tif 000005
【図４】
2005335430.tif 000006
【図５】
2005335430.tif 000007